(57)【要約】【課題】再生中のファイルに情報を追加させることができる情報再生装置を提供する。【解決手段】情報追加操作がされたとき、再生されているファイルが静止画のファイルである場合、入力された追加情報が静止画のファイル名に対応させてメモリに記憶される。また、情報追加操作がされたとき、再生されているファイルが動画のファイルである場合、入力された追加情報が動画のファイル名および再生経過時間に対応させてメモリに記憶される。これにより、ファイルの感想などを示した文字の情報を、次回の再生時から表示させることができ、汎用性が向上する。【選択図】図７
2008293622.tif 000002
【特許請求の範囲】
【請求項１】
記録媒体に記録されたファイルを再生する情報再生装置において、
情報追加操作がされたとき、再生されているファイルが静止画のファイルである場合、入力された追加情報を静止画のファイル名に対応させてメモリに記憶させ、また、情報追加操作がされたとき、再生されているファイルが動画のファイルである場合、入力された追加情報を動画のファイル名および再生経過時間に対応させてメモリに記憶させる追加情報入力編集部を備えると共に、
選択されたファイルが静止画のファイルであるとき、前記メモリに記憶されている静止画のファイル名に対応する追加情報が有れば、この追加情報を読み出して静止画と共にディスプレイ装置に表示させ、また、選択されたファイルが動画のファイルであるとき、前記メモリに記憶されている動画のファイル名および再生経過時間に対応する追加情報が有れば、この追加情報を読み出して動画と共にディスプレイ装置に表示させ追加情報表示処理部を備えたことを特徴とする情報再生装置。
【請求項２】
前記追加情報入力編集部は、選択されたファイルを再生させ、当該ファイルによる映像をディスプレイ装置に表示しているときに、当該ファイルに情報を追加するための情報追加操作がされたか否かを判定する情報追加操作判定手段と、
前記情報追加操作がされたと判定されたとき、当該ファイルが静止画のファイルであるか動画のファイルであるかを判定する情報追加操作時ファイル判定手段と、
当該ファイルが静止画のファイルであると判定されたとき、または当該ファイルが動画のファイルであると判定されて動画を停止させたとき、追加情報を入力するための入力画面をディスプレイ装置に表示させる入力画面表示手段と、
前記入力画面にて入力された追加情報が静止画のファイルに対しては静止画のファイル名に対応させてメモリに記憶させ、前記入力画面にて入力された追加情報が動画のファイルに対しては動画のファイル名および再生経過時間に対応させてメモリに記憶させる追加情報記憶手段と、
前記追加情報が入力され前記メモリに記憶されたことを検知したとき、前記入力画面を消去する入力画面消去手段と、を有することを特徴とする請求項１に記載の情報再生装置。
【請求項３】
前記追加情報表示処理部は、選択されたファイルを再生させたときに、当該ファイルが静止画のファイルであるか動画のファイルであるかを判定する再生時ファイル判定手段と、
当該ファイルが静止画のファイルであると判定されたとき、前記メモリに記憶されている静止画のファイル名に対応する追加情報が有れば、この追加情報を読み出して静止画と共にディスプレイ装置に表示させる静止画時追加情報表示手段と、
当該ファイルが動画のファイルであると判定されたとき、前記メモリに記憶されている動画のファイル名および再生経過時間に対応する追加情報が有れば、この追加情報を読み出して動画と共に所定時間だけディスプレイ装置に表示させる動画時追加情報表示手段と、を有することを特徴とする請求項１に記載の情報再生装置。
【発明の詳細な説明】
【技術分野】
【０００１】
本発明は、記録媒体に記録されたファイルを再生する情報再生装置に関し、特に、ファイルに情報を追加して表示させる処理に関する。
【背景技術】
【０００２】
近年、様々な情報が、放送波などのストリーム型データを介して伝えられ、リアルタイムで視聴されたり、ハードディスクレコーダやＤＶＤレコーダなどを用いて記録され、また、再生されて視聴されたりしている。特に、テレビ番組では、多様な番組形態により視聴者が知りたい情報を提供することが行われる。
【０００３】
ところで、記録媒体に記録されたファイル（テレビ番組や映画などの動画のファイル、写真やイラストなどの静止画のファイル）を再生する情報再生装置としては、ハードディスクレコーダ、ＤＶＤレコーダ、ＤＶＤプレイヤ、フラッシュＲＯＭを備えたレコーダやプレイヤなどが普及している。
【０００４】
このような情報再生装置では、記録媒体に記録されたファイルの再生は次のような処理で行われる。先ず、情報再生装置に電源が投入されて、情報再生装置が立ち上がった後、リモコンの再生リストキーが操作されると、ディスプレイ装置には再生リストが表示される。そして、ユーザが、その再生リストから再生したいファイルをリモコンの操作により選択すると、記録媒体から前記選択されたファイルの再生が開始される。
【０００５】
そして、再生が開始されたファイルが、テレビ番組の動画ファイルであれば、番組の映像中に番組における会話や内容説明などの文字が表示されたりすることがある。また、再生が開始されたファイルが、映画の動画ファイルであれば、映画の映像中に字幕などの文字が表示されたりする。また、再生が開始されたファイルが、写真やイラストの静止画ファイルであれば、この写真やイラストの静止画ファイルを記録媒体に記録する際に、内容を示す文字も記録しておけば、写真やイラストの映像中に文字も表示されたりする。
【特許文献１】特開２００６−３２４７３０号公報
【特許文献２】特開２００３−５２００９号公報
【発明の開示】
【発明が解決しようとする課題】
【０００６】
しかしながら、ユーザが所望する情報（例えば感想文など）をファイルに追加させたい場合があるが、この種の従来の情報再生装置では、再生中のファイルにユーザが所望する情報を追加できるような機能を有していないので、再生中のファイルによる映像に加えて追加情報を表示させることができず、汎用性が劣ると言う課題があった。
【０００７】
なお、特許文献１の従来技術では、キャプチャした映像データに、ユーザ入力の付加データを関連付けて記憶し、また、その映像データと共に付加データも再生するようにしているが、再生中のファイルに情報を追加させる機能については開示されていない。
【０００８】
また、特許文献２の従来技術では、スクリプトファイルから付加情報を読み出し表示するようにしているが、ユーザが所望する情報を再生中のファイルに追加させる機能については開示されていない。
【０００９】
本発明は、上記のような課題を解決するためになされたもので、再生中のファイルに情報を追加させることができる情報再生装置を提供することを目的とする。
【課題を解決するための手段】
【００１０】
上記目的を達成するために、請求項１の発明は、情報追加操作がされたとき、再生されているファイルが静止画のファイルである場合、入力された追加情報を静止画のファイル名に対応させてメモリに記憶させ、また、情報追加操作がされたとき、再生されているファイルが動画のファイルである場合、入力された追加情報を動画のファイル名および再生経過時間に対応させてメモリに記憶させる追加情報入力編集部を備えると共に、選択されたファイルが静止画のファイルであるとき、前記メモリに記憶されている静止画のファイル名に対応する追加情報が有れば、この追加情報を読み出して静止画と共にディスプレイ装置に表示させ、また、選択されたファイルが動画のファイルであるとき、前記メモリに記憶されている動画のファイル名および再生経過時間に対応する追加情報が有れば、この追加情報を読み出して動画と共にディスプレイ装置に表示させ追加情報表示処理部を備えたことを特徴とする情報再生装置を提供する。
【００１１】
この構成においては、情報追加操作がされたとき、再生されているファイルが静止画のファイルである場合、入力された追加情報が静止画のファイル名に対応させてメモリに記憶される。また、情報追加操作がされたとき、再生されているファイルが動画のファイルである場合、入力された追加情報が動画のファイル名および再生経過時間に対応させてメモリに記憶される。
【００１２】
選択されたファイルが静止画のファイルであるとき、前記メモリに記憶されている静止画のファイル名に対応する追加情報が有れば、この追加情報が読み出されて静止画と共にディスプレイ装置に表示される。また、選択されたファイルが動画のファイルであるとき、前記メモリに記憶されている動画のファイル名および再生経過時間に対応する追加情報が有れば、この追加情報が読み出されて静止画と共にディスプレイ装置に表示される。
【００１３】
この構成によれば、再生中のファイルに情報を追加させることができるので、ファイルの感想などを示した文字の情報を、次回の再生時から表示させることができ、汎用性が向上する。
【００１４】
請求項２の発明では、請求項１の発明において、前記追加情報入力編集部は、選択されたファイルを再生させ、当該ファイルによる映像をディスプレイ装置に表示しているときに、当該ファイルに情報を追加するための情報追加操作がされたか否かを判定する情報追加操作判定手段と、前記情報追加操作がされたと判定されたとき、当該ファイルが静止画のファイルであるか動画のファイルであるかを判定する情報追加操作時ファイル判定手段と、当該ファイルが静止画のファイルであると判定されたとき、または当該ファイルが動画のファイルであると判定されて動画を停止させたとき、追加情報を入力するための入力画面をディスプレイ装置に表示させる入力画面表示手段と、前記入力画面にて入力された追加情報が静止画のファイルに対しては静止画のファイル名に対応させてメモリに記憶させ、前記入力画面にて入力された追加情報が動画のファイルに対しては動画のファイル名および再生経過時間に対応させてメモリに記憶させる追加情報記憶手段と、前記追加情報が入力され前記メモリに記憶されたことを検知したとき、前記入力画面を消去する入力画面消去手段と、を有することを特徴とする。
【００１５】
したがって、前記追加情報入力編集部は、情報追加操作判定処理、情報追加操作時ファイル判定処理、入力画面表示処理、追加情報記憶処理、および入力画面消去処理を実現でき、これにより、再生中のファイルに情報を追加させることが可能になる。
【００１６】
請求項３の発明は、請求項１の発明において、前記追加情報表示処理部は、選択されたファイルを再生させたときに、当該ファイルが静止画のファイルであるか動画のファイルであるかを判定する再生時ファイル判定手段と、当該ファイルが静止画のファイルであると判定されたとき、前記メモリに記憶されている静止画のファイル名に対応する追加情報が有れば、この追加情報を読み出して静止画と共にディスプレイ装置に表示させる静止画時追加情報表示手段と、当該ファイルが動画のファイルであると判定されたとき、前記メモリに記憶されている動画のファイル名および再生経過時間に対応する追加情報が有れば、この追加情報を読み出して動画と共に所定時間だけディスプレイ装置に表示させる動画時追加情報表示手段と、を有することを特徴とする。
【００１７】
したがって、前記追加情報表示処理部は、再生時ファイル判定処理、静止画時追加情報表示処理、および動画時追加情報表示処理を実現でき、これにより、ファイルの感想などを示した文字の情報を、次回の再生時から表示させることが可能になる。
【発明の効果】
【００１８】
以上のように本発明によれば、情報追加操作がされたとき、再生されているファイルが静止画のファイルである場合、入力された追加情報を静止画のファイル名に対応させてメモリに記憶させ、また、情報追加操作がされたとき、再生されているファイルが動画のファイルである場合、入力された追加情報を動画のファイル名および再生経過時間に対応させてメモリに記憶させる追加情報入力編集部を備えることにより、再生中のファイルに情報を追加させることができる。
【００１９】
また、選択されたファイルが静止画のファイルであるとき、前記メモリに記憶されている静止画のファイル名に対応する追加情報が有れば、この追加情報を読み出して静止画と共にディスプレイ装置に表示させ、また、選択されたファイルが動画のファイルであるとき、前記メモリに記憶されている動画のファイル名および再生経過時間に対応する追加情報が有れば、この追加情報を読み出して動画と共にディスプレイ装置に表示させ追加情報表示処理部を備えたので、ファイルの感想などを示した文字の情報を、次回の再生時から表示させることができ、汎用性が向上する。
【発明を実施するための最良の形態】
【００２０】
以下、添付図面を参照しつつ、本発明の実施の形態について説明する。図１は本発明の一実施形態に係る情報再生装置としての複合型記録再生装置の構成を示すブロック図である。ここでは、情報再生装置としては、ハードディスク装置（ハードディスクレコーダ）と光ディスク装置（ＤＶＤレコーダ）とが組み込まれた複合型記録再生装置について説明するが、本実施形態の特徴とする追加情報入力編集機能および追加情報表示機能は、複合型記録再生装置に限らず、単体のハードディスク装置や光ディスク装置（ＤＶＤレコーダ、ＤＶＤプレイヤ、ＣＤプレイヤ）に設けても、同様な効果を得ることができる。また、情報再生装置としては、ファイルを記録する記録媒体としてフラッシュＲＯＭを備えたレコーダやプレイヤでも良い。
【００２１】
図１において、複合型記録再生装置１は、ＤＶＤやＣＤなどの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのアナログのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共に、システムコントローラ１０の動作に必要なプログラムやデータ、あるいは後述する操作履歴情報、再生終了情報、重み付け度などを記憶するフラッシュＲＯＭ６と、システムコントローラ１０の動作に必要なデータを一時的に記憶するＲＡＭ１６とを備えている。
【００２２】
また、この複合型記録再生装置１は、デコーダ５で復号された映像信号をテレビジョン受像機１３のディスプレイ装置１３１で表示可能な映像信号に変換する映像出力部７と、再生リスト、番組表、追加情報の入力画面、追加情報などをテレビジョン受像機１３のディスプレイ装置１３１に表示させるためのＯＳＤ（オン・スクリーン・ディスプレイ）部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２３】
システムコントローラ１０は、選択されたファイルを再生させ、当該ファイルによる映像をディスプレイ装置１３１に表示しているときに、当該ファイルに情報を追加するための情報追加操作がされたか否かを判定する情報追加操作判定手段と、前記情報追加操作がされたと判定されたとき、当該ファイルが静止画のファイルであるか動画のファイルであるかを判定する情報追加操作時ファイル判定手段と、当該ファイルが静止画のファイルであると判定されたとき、または当該ファイルが動画のファイルであると判定されて動画を停止させたとき、追加情報を入力するための入力画面をディスプレイ装置１３１に表示させる入力画面表示手段と、前記入力画面にて入力された追加情報が静止画のファイルに対しては静止画のファイル名に対応させてフラッシュＲＯＭ６に記憶させ、前記入力画面にて入力された追加情報が動画のファイルに対しては動画のファイル名および再生経過時間に対応させてフラッシュＲＯＭ６に記憶させる追加情報記憶手段と、前記追加情報が入力されフラッシュＲＯＭ６に記憶されたことを検知したとき、前記入力画面を消去する入力画面消去手段とを有する追加情報入力編集部１０１を備えている。
【００２４】
また、システムコントローラ１０は、選択されたファイルを再生させたときに、当該ファイルが静止画のファイルであるか動画のファイルであるかを判定する再生時ファイル判定手段と、当該ファイルが静止画のファイルであると判定されたとき、フラッシュＲＯＭ６に記憶されている静止画のファイル名に対応する追加情報が有れば、この追加情報を読み出して静止画と共にディスプレイ装置１３１に表示させる静止画時追加情報表示手段と、当該ファイルが動画のファイルであると判定されたとき、フラッシュＲＯＭ６に記憶されている動画のファイル名および再生経過時間に対応する追加情報が有れば、この追加情報を読み出して動画と共に所定時間だけディスプレイ装置１３１に表示させる動画時追加情報表示手段とを有する追加情報表示処理部１０２を備えている。
【００２５】
図２は本実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、再生リストキー２１６、機能一覧キー２１７、上方向キー２１８、下方向キー２１９、左方向キー２２０、右方向キー２２１、決定キー２２２、メニューキー２２３、記録キー２２４、一時停止キー２２５、早戻しキー２２６、停止キー２２７、再生キー２２８、早送りキー２２９、スキップキー２３０、ＨＤＤモード切換キー２３１、ＤＶＤモード切換キー２３２、追加情報キー２３３などが配置されている。なお、ここでのキーの配置および個数は一例であるので、これに限ることはない。
【００２６】
図３は本実施形態において静止画のファイルに追加する情報をフラッシュＲＯＭに記憶させる場合の静止画のファイルのファイル名と追加情報との対応関係を示すテーブルの一例を示す図である。このテーブル３１では、ファイル名がＡ１に対しては追加情報「最も記憶に残るシーン！」、ファイル名がＡ２に対しては追加情報「このシーンに感動した！」、ファイル名がＡ３に対しては追加情報「夕日が美しい！」が対応していることを示している。
【００２７】
したがって、ファイル名Ａ１の静止画ファイルによる静止画がディスプレイ装置に表示されたときに「最も記憶に残るシーン！」が追加情報（感想文）として表示される。ファイル名Ａ２の静止画ファイルによる静止画がディスプレイ装置に表示されたときに「このシーンに感動した！」が追加情報（感想文）として表示される。ファイル名Ａ３の静止画ファイルによる静止画がディスプレイ装置に表示されたときに「夕日が美しい！」が追加情報（感想文）として表示される。
【００２８】
図４は本実施形態において動画のファイルに追加する情報をフラッシュＲＯＭに記憶させる場合の動画のファイルのファイル名と再生経過時間と追加情報との対応関係を示すテーブルの一例を示す図である。このテーブル４１では、ファイル名がＢ１に対しては、このファイルが再生開始されてからの再生経過時間が５分になったときに表示される追加情報が「迫力の空中シーン！」であることを示し、再生経過時間が２０分になったときに追加情報が「スーパーヒーローが宙を舞う！」であることを示し、ファイル名がＢ２に対しては、このファイルが再生開始されてからの再生経過時間が１５分になったときに追加情報が「思い出のシーン！」であることを示している。
【００２９】
したがって、ファイル名Ｂ１の動画ファイルによる動画がディスプレイ装置に表示され、再生経過時間が５分になったときに、「迫力の空中シーン！」が追加情報（感想文）として例えば５秒表示される。ファイル名Ｂ１の動画ファイルによる動画がディスプレイ装置に表示され、再生経過時間が２０分になったときに、「スーパーヒーローが宙を舞う！」が追加情報（感想文）として例えば５秒表示される。ファイル名Ｂ２の動画ファイルによる動画がディスプレイ装置に表示される。また、ファイル名Ｂ２の動画ファイルによる動画がディスプレイ装置に表示され、再生経過時間が１５分になったときに、「思い出のシーン！」が追加情報（感想文）として例えば５秒表示される。
【００３０】
図５は本実施形態においてディスプレイ装置に静止画が表示されているときに追加情報が入力される入力画面の一例を示すと共にディスプレイ装置に静止画が表示されているときに追加情報が表示されている一例を示す表示画面を示す図である。この例では、追加情報としては、「最も記憶に残るシーン！」が表示されている。
【００３１】
図６は本実施形態においてディスプレイ装置に動画の停止画が表示されているときに追加情報が入力される入力画面の一例を示すと共にディスプレイ装置に動画が表示されているときに追加情報が表示されている一例を示す表示画面を示す図である。この例では、追加情報としては、「迫力の空中シーン！」が表示されている。
【００３２】
図７は本実施形態においてファイルに追加情報を入力する編集処理を説明するためのフローチャートである。このフローチャートおよび図１〜図６を参照してファイルに追加情報を入力する編集処理について説明する。
【００３３】
複合型記録再生装置１に電源が投入されて、複合型記録再生装置１が立ち上がった後、複合型記録再生装置１は、ＨＤＤモードに設定されているか、ＤＶＤモードに設定されているかを判定する（ステップＳ１，Ｓ２）。先ず、ＨＤ１４のファイルを再生したいため、リモコン１１のＨＤＤモード切換キー２３１が操作され、複合型記録再生装置１がＨＤＤモードに設定されているとして説明する。
【００３４】
リモコン１１の再生リストキー２１６が操作されると、システムコントローラ１０は、再生リストをディスプレイ装置１３１に表示させるための再生リスト表示操作がされたことを検知し（ステップＳ３）、ＨＤ１４から再生リストのデータを読み出して、ＯＳＤ部１２でＯＳＤ処理を行い、映像出力部７を介してテレビジョン受像機１３のディスプレイ装置１３１に再生リストの映像信号を供給する。これにより、ディスプレイ装置１３１には再生リストが表示される（ステップＳ４）。
【００３５】
そして、ユーザが、その再生リストから再生したいファイルをリモコン１１の上方向キー２１８、下方向キー２１９、左方向キー２２０、右方向キー２２１などの操作により選択すると、システムコントローラ１０は、所望のファイルが選択されたことを検知し（ステップＳ５）、この後、再生キー２２８または決定キー２２２の操作により、再生操作がされたことを検知すると（ステップＳ６）、ハードディスク装置３を再生動作させ、ＨＤ１４から前記選択されたファイルの再生を開始させる（ステップＳ７）。
【００３６】
このようにして選択されたファイルが再生され、当該ファイルによる映像がディスプレイ装置１３１に表示されているときに、ユーザが情報を追加したいため、リモコン１１の追加情報キー２３３を操作すると、システムコントローラ１１の追加情報入力編集部１０１の情報追加操作判定手段は、当該ファイルに情報を追加するための情報追加操作がされたと判定する（ステップＳ８）。
【００３７】
前記情報追加操作がされたと判定された後、追加情報入力編集部１０１の情報追加操作時ファイル判定手段は、当該ファイルが静止画のファイルであるか動画のファイルであるかをファイル管理情報により判定する（ステップＳ９）。当該ファイルが静止画のファイルであると判定されたとき、追加情報入力編集部１０１の入力画面表示手段は、追加情報を入力するための入力画面をディスプレイ装置１３１に表示させる（ステップＳ１１）。
【００３８】
ここで、ユーザは、リモコン１１を操作して入力画面に追加情報を入力する。そして、追加情報入力編集部１０１の追加情報記憶手段は、前記入力画面にて入力された追加情報が静止画のファイルに対しては静止画のファイル名に対応させてテーブル３１としてフラッシュＲＯＭ６に記憶させる。次に、追加情報入力編集部１０１の入力画面消去手段は、前記追加情報が入力されフラッシュＲＯＭ６に記憶されたことを検知したとき（ステップＳ１２）、前記入力画面を消去する（ステップＳ１３）。そして、この静止画ファイルに対する情報入力編集が終了するまでは（ステップＳ１４）、ステップＳ８の処理に戻り同様な処理を繰り返す。
【００３９】
一方、ステップＳ８において情報追加操作がされたと判定された後、追加情報入力編集部１０１の情報追加操作時ファイル判定手段は、当該ファイルが動画のファイルであると判定したとき（ステップＳ９）、動画を停止し（ステップＳ１０）、追加情報入力編集部１０１の入力画面表示手段は、追加情報を入力するための入力画面をディスプレイ装置１３１に表示させる（ステップＳ１１）。
【００４０】
ここで、ユーザは、リモコン１１を操作して入力画面に追加情報を入力する。そして、追加情報入力編集部１０１の追加情報記憶手段は、前記入力画面にて入力された追加情報が動画のファイルに対しては動画のファイル名および再生経過時間に対応させてテーブル４１としてフラッシュＲＯＭ６に記憶させる。次に、追加情報入力編集部１０１の入力画面消去手段は、前記追加情報が入力されフラッシュＲＯＭ６に記憶されたことを検知したとき（ステップＳ１２）、前記入力画面を消去する（ステップＳ１３）。そして、この動画ファイルに対する情報入力編集が終了するまでは（ステップＳ１４）、ステップＳ８の処理に戻り同様な処理を繰り返す。
【００４１】
次に、光ディスク（ＤＶＤ）１５のファイルを再生したいため、リモコン１１のＤＶＤモード切換キー２３１が操作され、複合型記録再生装置１がＤＶＤモードに設定されているとして説明する。
【００４２】
リモコン１１の再生リストキー２１６が操作されると、システムコントローラ１０は、再生リストをディスプレイ装置１３１に表示させるための再生リスト表示操作がされたことを検知し（ステップＳ３）、光ディスク１５から再生リストのデータを読み出して、ＯＳＤ部１２でＯＳＤ処理を行い、映像出力部７を介してテレビジョン受像機１３のディスプレイ装置１３１に再生リストの映像信号を供給する。これにより、ディスプレイ装置１３１には再生リストが表示される（ステップＳ４）。
【００４３】
そして、ユーザが、その再生リストから再生したいファイルをリモコン１１の上方向キー２１８、下方向キー２１９、左方向キー２２０、右方向キー２２１などの操作により選択すると、システムコントローラ１０は、所望のファイルが選択されたことを検知し（ステップＳ５）、この後、再生キー２２８または決定キー２２２の操作により、再生操作がされたことを検知すると（ステップＳ６）、光ディスク装置２を再生動作させ、光ディスク１５から前記選択されたファイルの再生を開始させる（ステップＳ７）。
【００４４】
このようにして選択されたファイルが再生され、当該ファイルによる映像がディスプレイ装置１３１に表示されているときに、ユーザが情報を追加したいため、リモコン１１の追加情報キー２３３を操作すると、システムコントローラ１１の追加情報入力編集部１０１の情報追加操作判定手段は、当該ファイルに情報を追加するための情報追加操作がされたと判定する（ステップＳ８）。
【００４５】
前記情報追加操作がされたと判定された後、追加情報入力編集部１０１の情報追加操作時ファイル判定手段は、当該ファイルが静止画のファイルであるか動画のファイルであるかをファイル管理情報により判定する（ステップＳ９）。当該ファイルが静止画のファイルであると判定されたとき、追加情報入力編集部１０１の入力画面表示手段は、追加情報を入力するための入力画面をディスプレイ装置１３１に表示させる（ステップＳ１１）。
【００４６】
ここで、ユーザは、リモコン１１を操作して入力画面に追加情報を入力する。そして、追加情報入力編集部１０１の追加情報記憶手段は、前記入力画面にて入力された追加情報が静止画のファイルに対しては静止画のファイル名に対応させてテーブル３１としてフラッシュＲＯＭ６に記憶させる。次に、追加情報入力編集部１０１の入力画面消去手段は、前記追加情報が入力されフラッシュＲＯＭ６に記憶されたことを検知したとき（ステップＳ１２）、前記入力画面を消去する（ステップＳ１３）。そして、この静止画ファイルに対する情報入力編集が終了するまでは（ステップＳ１４）、ステップＳ８の処理に戻り同様な処理を繰り返す。
【００４７】
一方、ステップＳ８において情報追加操作がされたと判定された後、追加情報入力編集部１０１の情報追加操作時ファイル判定手段は、当該ファイルが動画のファイルであると判定したとき（ステップＳ９）、動画を停止し（ステップＳ１０）、追加情報入力編集部１０１の入力画面表示手段は、追加情報を入力するための入力画面をディスプレイ装置１３１に表示させる（ステップＳ１１）。
【００４８】
ここで、ユーザは、リモコン１１を操作して入力画面に追加情報を入力する。そして、追加情報入力編集部１０１の追加情報記憶手段は、前記入力画面にて入力された追加情報が動画のファイルに対しては動画のファイル名および再生経過時間に対応させてテーブル４１としてフラッシュＲＯＭ６に記憶させる。次に、追加情報入力編集部１０１の入力画面消去手段は、前記追加情報が入力されフラッシュＲＯＭ６に記憶されたことを検知したとき（ステップＳ１２）、前記入力画面を消去する（ステップＳ１３）。そして、この動画ファイルに対する情報入力編集が終了するまでは（ステップＳ１４）、ステップＳ８の処理に戻り同様な処理を繰り返す。
【００４９】
図８は本実施形態において追加情報を表示させる処理を説明するためのフローチャートである。このフローチャートおよび図１〜図６を参照して追加情報を表示させる処理について説明する。
【００５０】
複合型記録再生装置１に電源が投入されて、複合型記録再生装置１が立ち上がった後、複合型記録再生装置１は、ＨＤＤモードに設定されているか、ＤＶＤモードに設定されているかを判定する（ステップＴ１，Ｔ２）。先ず、ＨＤ１４のファイルを再生したいため、リモコン１１のＨＤＤモード切換キー２３１が操作され、複合型記録再生装置１がＨＤＤモードに設定されているとして説明する。
【００５１】
次に、リモコン１１の再生リストキー２１６が操作されると、システムコントローラ１０は、再生リストをディスプレイ装置１３１に表示させるための再生リスト表示操作がされたことを検知し（ステップＴ３）、ハードディスク装置３を介してＨＤ１４から再生リストのデータを読み出して、ＯＳＤ部１２でＯＳＤ処理を行い、映像出力部７を介してテレビジョン受像機１３のディスプレイ装置１３１に再生リストの映像信号を供給する。これにより、ディスプレイ装置１３１には再生リストが表示される（ステップＴ４）。
【００５２】
そして、ユーザが、その再生リストから再生したいファイルをリモコン１１の上方向キー２１８、下方向キー２１９、左方向キー２２０、右方向キー２２１などの操作により選択すると、システムコントローラ１０は、所望のファイルが選択されたことを検知し（ステップＴ５）、この後、再生キー２２８または決定キー２２２の操作により、再生操作がされたことを検知すると（ステップＴ６）、ハードディスク装置３を再生動作させ、ＨＤ１４から前記選択されたファイルの再生を開始させる（ステップＴ７）。
【００５３】
そして、追加情報表示処理部１０２の再生時ファイル判定手段は、当該ファイルが静止画のファイルであるか動画のファイルであるかを判定する（ステップＴ８）。当該ファイルが静止画のファイルであると判定されたとき、追加情報表示処理部１０２の静止画時追加情報表示手段は、フラッシュＲＯＭ６に記憶されている静止画のファイル名に対応する追加情報が有れば（ステップＴ９）、この追加情報を読み出して静止画と共にディスプレイ装置１３１に表示させる（ステップＴ１０）。そして、当該ファイルの静止画の再生が終了すれば（ステップＴ１１）、この静止画に対する追加情報表示処理は終了する。
【００５４】
一方、当該ファイルが動画のファイルであると判定されたとき（ステップＴ８）、追加情報表示処理部１０２の動画時追加情報表示手段は、フラッシュＲＯＭ６に記憶されている動画のファイル名および再生経過時間に対応する追加情報が有れば（ステップＴ１２）、この追加情報を読み出して動画と共に所定時間（例えば５秒）だけディスプレイ装置１３２に表示させる（ステップＴ１３）。そして、当該ファイルの動画の再生が終了すれば（ステップＴ１４）、この動画に対する追加情報表示処理は終了する。
【００５５】
次に、光ディスク（ＤＶＤ）１５のファイルを再生したいため、リモコン１１のＤＶＤモード切換キー２３１が操作され、複合型記録再生装置１がＤＶＤモードに設定されているとして説明する。
【００５６】
次に、リモコン１１の再生リストキー２１６が操作されると、システムコントローラ１０は、再生リストをディスプレイ装置１３１に表示させるための再生リスト表示操作がされたことを検知し（ステップＴ３）、光ディスク装置２を介して光ディスク１５から再生リストのデータを読み出して、ＯＳＤ部１２でＯＳＤ処理を行い、映像出力部７を介してテレビジョン受像機１３のディスプレイ装置１３１に再生リストの映像信号を供給する。これにより、ディスプレイ装置１３１には再生リストが表示される（ステップＴ４）。
【００５７】
そして、ユーザが、その再生リストから再生したいファイルをリモコン１１の上方向キー２１８、下方向キー２１９、左方向キー２２０、右方向キー２２１などの操作により選択すると、システムコントローラ１０は、所望のファイルが選択されたことを検知し（ステップＴ５）、この後、再生キー２２８または決定キー２２２の操作により、再生操作がされたことを検知すると（ステップＴ６）、光ディスク装置２を再生動作させ、光ディスク１５から前記選択されたファイルの再生を開始させる（ステップＴ７）。
【００５８】
そして、追加情報表示処理部１０２の再生時ファイル判定手段は、当該ファイルが静止画のファイルであるか動画のファイルであるかを判定する（ステップＴ８）。当該ファイルが静止画のファイルであると判定されたとき、追加情報表示処理部１０２の静止画時追加情報表示手段は、フラッシュＲＯＭ６に記憶されている静止画のファイル名に対応する追加情報が有れば（ステップＴ９）、この追加情報を読み出して静止画と共にディスプレイ装置１３１に表示させる（ステップＴ１０）。そして、当該ファイルの静止画の再生が終了すれば（ステップＴ１１）、この静止画に対する追加情報表示処理は終了する。
【００５９】
一方、当該ファイルが動画のファイルであると判定されたとき（ステップＴ８）、追加情報表示処理部１０２の動画時追加情報表示手段は、フラッシュＲＯＭ６に記憶されている動画のファイル名および再生経過時間に対応する追加情報が有れば（ステップＴ１２）、この追加情報を読み出して動画と共に所定時間（例えば５秒）だけディスプレイ装置１３２に表示させる（ステップＴ１３）。そして、当該ファイルの動画の再生が終了すれば（ステップＴ１４）、この動画に対する追加情報表示処理は終了する。
【００６０】
このように、ＤＶＤ−ＲＯＭやＣＤ−ＲＯＭなどのようにユーザ側で書き込みができない光ディスクに関してもフラッシュＲＯＭ６に記憶しておくことで、ユーザが入力した追加情報をディスプレイ装置１３１に表示させることができる。
【００６１】
以上説明したように本実施形態によれば、情報追加操作がされたとき、再生されているファイルが静止画のファイルである場合、入力された追加情報を静止画のファイル名に対応させてフラッシュＲＯＭ６に記憶させ、また、情報追加操作がされたとき、再生されているファイルが動画のファイルである場合、入力された追加情報を動画のファイル名および再生経過時間に対応させてフラッシュＲＯＭ６に記憶させる追加情報入力編集部１０１を備えることにより、再生中のファイルに情報を追加させることができる。
【００６２】
また、選択されたファイルが静止画のファイルであるとき、フラッシュＲＯＭ６に記憶されている静止画のファイル名に対応する追加情報が有れば、この追加情報を読み出して静止画と共にディスプレイ装置１３１に表示させ、また、選択されたファイルが動画のファイルであるとき、フラッシュＲＯＭ６に記憶されている動画のファイル名および再生経過時間に対応する追加情報が有れば、この追加情報を読み出して動画と共にディスプレイ装置１３１に表示させ追加情報表示処理部１０２を備えたので、ファイルの感想などを示した文字の情報を、次回の再生時から表示させることができ、汎用性が向上する。
【産業上の利用可能性】
【００６３】
本発明は、ハードディスクレコーダ、ＤＶＤレコーダ、ＤＶＤプレイヤ、フラッシュＲＯＭを備えたレコーダやプレイヤなどに利用可能であり、ファイルに情報を追加させてディスプレイ装置に表示させることができる。
【図面の簡単な説明】
【００６４】
【図１】本発明の一実施形態に係る情報再生装置としての複合型記録再生装置の構成を示すブロック図である。
【図２】前記実施形態においてリモコンのキー配置の一例を示す図である。
【図３】前記実施形態において静止画のファイルに追加する情報をフラッシュＲＯＭに記憶させる場合の静止画のファイルのファイル名と追加情報との対応関係を示すテーブルの一例を示す図である。
【図４】前記実施形態において動画のファイルに追加する情報をフラッシュＲＯＭに記憶させる場合の動画のファイルのファイル名と再生経過時間と追加情報との対応関係を示すテーブルの一例を示す図である。
【図５】前記実施形態においてディスプレイ装置に静止画が表示されているときに追加情報が入力される入力画面の一例を示すと共にディスプレイ装置に静止画が表示されているときに追加情報が表示されている一例を示す表示画面を示す図である。
【図６】前記実施形態においてディスプレイ装置に動画の停止画が表示されているときに追加情報が入力される入力画面の一例を示すと共にディスプレイ装置に動画が表示されているときに追加情報が表示されている一例を示す表示画面を示す図である。
【図７】前記実施形態においてファイルに追加情報を入力する編集処理を説明するためのフローチャートである。
【図８】前記実施形態において追加情報を表示させる処理を説明するためのフローチャートである。
【符号の説明】
【００６５】
１    複合型記録再生装置
６    フラッシュＲＯＭ（メモリ）
１４    ハードディスク（記録媒体）
１５    光ディスク（記録媒体）
１０１    追加情報入力編集部
１０２    追加情報表示処理部
１３１    ディスプレイ装置
【図１】
2008293622.tif 000003
【図２】
2008293622.tif 000004
【図３】
2008293622.tif 000005
【図４】
2008293622.tif 000006
【図５】
2008293622.tif 000007
【図６】
2008293622.tif 000008
【図７】
2008293622.tif 000009
【図８】
2008293622.tif 000010